(57)【要約】【課題】  部品コスト、組立コストを低廉化できると共に、故障の発生率を低下でき、またマーキング作業の際にマーキング装置等が被締付部材の周りの物に当たって支障を来たすことを防止でき、更には壁等の障害物の際にある被締付部材に対しても、確実にマーキングできるようにする。【解決手段】  操作レバー４の先端のヘッド４ａの上面に、プレート部材５をヘッド４ａの縦軸Ｌを中心に回動可能に螺子６で取り付ける。このプレート部材５の先端部５ａの上面に、駆動装置３としてのソレノイドを設ける。このソレノイドの可動鉄芯３ａの下端に、マーカー２を取り付けるための取付部１１を連結する。設定トルクが解放されると駆動装置３に駆動信号を出力する駆動源１４を、操作レバー４に設ける。【選択図】    図１
2015217460.tif 000002
【特許請求の範囲】
【請求項１】
被締付部材に締付済みのマークを施すためのマーカーと、このマーカーを設定トルクの解放時に被締付部材に押し付ける駆動装置とを備えて形成されているマーキング機能付きトルクレンチであって、操作レバーの先端のヘッドの上面に、プレート部材がヘッドの縦軸を中心に回動可能に螺子で取り付けられ、このプレート部材の先端部の上面に上記の駆動装置としてのソレノイドが設けられ、このソレノイドの可動鉄芯の下端に上記のマーカーを取り付けるための取付部が連結され、設定トルクが解放されると駆動装置に駆動信号を出力する駆動源が操作レバーに設けられていることを特徴とするマーキング機能付きトルクレンチ。
【請求項２】
請求項１記載のマーキング機能付きトルクレンチであって、ヘッドの上面に、一方の冠歯車が歯を上向きにして取り付けられ、この一方の冠歯車に噛み合わされる他方の冠歯車がプレート部材の基端部の下面に取り付けられ、螺子がプレート部材の基端部の上面側から上下一対の冠歯車の軸心にネジ込まれ、プレート部材が上下一対の冠歯車を介してヘッドの上面に取り付けられていることを特徴とするマーキング機能付きトルクレンチ。
【請求項３】
請求項１又は２記載のマーキング機能付きトルクレンチであって、プレート部材が長板状に形成され、このプレート部材の途中に幅方向に沿って横軸が設けられ、この横軸を介してプレート部材の先端部の側が基端部に対して下向き傾斜状に屈曲可能に形成されていることを特徴とするマーキング機能付きトルクレンチ。
【請求項４】
請求項１乃至３の何れかに記載のマーキング機能付きトルクレンチであって、マーカーが、高さを調節可能に取り付けられていることを特徴とするマーキング機能付きトルクレンチ。
【発明の詳細な説明】
【技術分野】
【０００１】
本発明は、トルクレンチに関し、更に詳しくは締付の完了や締め忘れの防止のための目印を、被締付部材としてのナットやボルトに付すことができるよう形成したマーキング機能付きトルクレンチに関するものである。
【背景技術】
【０００２】
従来、この種のトルクレンチとしては、例えば特許文献１に記載されているものが知られている。この従来品は、設定トルクの解放時に、マーカ押圧レバーの先端の押圧ローラが押圧板を押し下げ、マーキング装置の頭のボタンを押すことで被締付部材に目印を付すよう形成されていた。
【０００３】
従来品は、このようにマーキング装置が頭にボタンを備えた専用品であり、被締付部材に目印を付す動作構造が機械的な構造によるものであった。
従って、従来品によると、部品コスト、組立コストが高く付き、構造が複雑であったから、その分、故障が起き易い、という問題点があった。
【０００４】
また従来品は、ヘッドの下側にマーキング装置等が設けられていた。
そのため、従来品を使用すると、マーキング装置等がヘッドの下側の被締付部材の周囲の物に当たってマーキング作業に支障を来たすことがあった。
【０００５】
而して、特許文献1には、不使用時に、マーカ駆動手段から無理な力がマーキング装置に加わることを防止し、マーキング装置の故障を減らすことができるよう、ロック手段のロック解除を行って、マーキング装置を固定部と一緒に回すことができる発明が記載されている（同文献の図１２参照）。
【０００６】
しかしながら、この従来品の場合は、マーキング装置を固定部と一緒に回すと、マーキング装置とマーカ駆動手段との当接状態が解除される構造であった。これは、この従来品が、不使用時に、マーカ駆動手段から無理な力がマーキング装置に加わることの防止を目的としていることによる。
【０００７】
従って、壁等の障害物の際にある被締付部材に対して従来品を使用すると、マーキング装置が障害物に当たって作業がし難く、またマーキング装置を回して障害物から遠ざけると、従来品の場合はマーカ駆動手段との当接状態が解除されることになった。
その結果、従来品によると、この種の被締付部材に対して、マーキング作業を確実に行うことができない、という問題点があった。
【先行技術文献】
【特許文献】
【０００８】
【特許文献１】特許第４５８５９３２号公報
【発明の概要】
【発明が解決しようとする課題】
【０００９】
本発明は、このような従来品の問題点に鑑み、提案されたものである。
従って本発明の解決しようとする技術的課題は、構造を簡単化して部品コスト、組立コストを低廉化できると共に、故障の発生率を低下でき、またマーキング作業の際にマーキング装置等が被締付部材の周りの物に当たって支障を来たすことを防止でき、更には壁等の障害物の際にある被締付部材に対しても、確実にマーキングできるよう形成したマーキング機能付きトルクレンチを提供することにある。
【課題を解決するための手段】
【００１０】
本発明は、上記の課題を解決するため、次のような技術的手段を採る。
【００１１】
即ち本発明は、図１等に示されるように、被締付部材１に締付済みのマークを施すためのマーカー２と、このマーカー２を設定トルクの解放時に被締付部材１に押し付ける駆動装置３とを備えて形成されているマーキング機能付きトルクレンチであって、操作レバー４の先端のヘッド４ａの上面に、プレート部材５がヘッド４ａの縦軸Ｌを中心に回動可能に螺子６で取り付けられ、このプレート部材５の先端部５ａの上面に上記の駆動装置３としてのソレノイドが設けられ、このソレノイドの可動鉄芯３ａの下端に上記のマーカー２を取り付けるための取付部１１が連結され、設定トルクが解放されると駆動装置３に駆動信号を出力する駆動源１４が操作レバー４に設けられていることを特徴とする（請求項１）。
【００１２】
ここで、被締付部材１とは、ナットやボルトを意味する。マーカー２としては、例えば水性や油性のインク容器を棒状の本体に備え、先端の芯２ａからインクを浸み出させる市販のペン型筆記具がある。駆動源１４は、電池等の電源１４２やソレノイドの駆動回路１４５等を備え、設定トルクの解放時のシャンク１７の動きでスイッチが入るよう形成されている。
【００１３】
而して、本発明は、ヘッド４ａの上面に、一方の冠歯車８ａが歯を上向きにして取り付けられ、この一方の冠歯車８ａに噛み合わされる他方の冠歯車８ｂがプレート部材５の基端部５ｂの下面に取り付けられ、螺子６がプレート部材５の基端部５ｂの上面側から上下一対の冠歯車８ａ、８ｂの軸心にネジ込まれ、プレート部材５が上下一対の冠歯車８ａ、８ｂを介してヘッド４ａの上面に取り付けられているのが好ましい（請求項２）。
【００１４】
なぜならこれによると、螺子６の締め付けが弱かったり、使用に連れて緩みが発生しても、一方の冠歯車８ａと他方の冠歯車８ｂが噛み合っているため、その噛み合せ力でプレート部材５の回動を抑えることができ、その結果、マーカー２の位置ずれを確実に防止できるからである。
【００１５】
また本発明の場合、プレート部材５が長板状に形成され、このプレート部材５の途中に幅方向に沿って横軸７が設けられ、この横軸７を介してプレート部材５の先端部５ａの側が基端部５ｂに対して下向き傾斜状に屈曲可能に形成されているのが好ましい（請求項３）。
【００１６】
本発明は、プレート部材５が予めへの字状等に屈曲形成されているのでも良いが、請求項３記載の本発明の場合は、プレート部材５の先端部５ａの側を、任意の傾斜角に、簡単、迅速に調節でき、マーカー２の向きを調節し易くなり、マーキング作業を楽にできるからである。またこの場合は、マーキングを行う必要がないとき、先端部５ａを引き上げた状態で被締付部材１を締め付けることができるからである。
【００１７】
また本発明は、マーカー２が、高さを調節可能に取り付けられているのが好ましい（請求項４）。
【００１８】
なぜならこれによると、一層、マーカー２の位置調節が容易になり、精度良くマーキング作業を行うことができるからである。
【発明の効果】
【００１９】
本発明は、このように操作レバーの先端のヘッドの上面に、プレート部材がヘッドの縦軸を中心に回動可能に螺子で取り付けられ、プレート部材の先端部の上面に駆動装置としてのソレノイドが設けられ、このソレノイドの可動鉄芯の下端がマーカーの取付部に連結されている。
従って、本発明の場合は、設定トルクの解放時の動きをマーカーの押し下げに変換する構造が簡単になるため、これによれば、部品コストや組立コストを低廉化でき、故障の発生率を低下できる。
また本発明は、マーカーを専用品によることなく、市販品を利用できるから、これによれば、ランニングコストを抑えることができ、低コストでマーキングできる。
【００２０】
また本発明は、ヘッドの下側にマーキング作業用の構造物が設けられていない。
従って、これによると、被締付部材の周りの物にマーキング作業用の構造部が当たってマーキング作業に支障を来たす、ということがない。
【００２１】
また本発明は、駆動装置が取り付けられているプレート部材を、縦軸を中心に回し、駆動装置を壁等の障害物から遠ざけてマーキングできる。
従って、本発明によれば、壁際等にある被締付部材に対しても、マーキング作業を確実に行うことができる。
【図面の簡単な説明】
【００２２】
【図１】本発明のトルクレンチの好適な一実施形態を示す使用状態時の要部側面図である。
【図２】同上トルクレンチの側面図である。
【図３】同上トルクレンチの平面図である。
【図４】同上トルクレンチの要部斜視図である。
【図５】同上トルクレンチの要部分解斜視図である。
【図６】同上トルクレンチのヘッドの要部平面図である。
【図７】同上トルクレンチの使用状態時の要部平面図である。
【図８】図７においてプレート部材を屈曲させたときの要部平面図である。
【図９】同上トルクレンチの使用状態時の要部斜視図である。
【図１０】同上トルクレンチの使用状態時の要部平面図である。
【図１１】図１０においてプレート部材を屈曲させたときの要部平面図である。
【図１２】同上トルクレンチの使用状態時の要部斜視図である。
【発明を実施するための形態】
【００２３】
以下、本発明の好適な一実施形態を添付図面に従って説明する。
本発明は、図１等に示されるように、被締付部材１としての例えば六角穴付きボルトに締付済みのマークを施すためのマーカー２と、このマーカー２を設定トルクの解放時に被締付部材１に押し付ける駆動装置３としてのソレノイドを備えて形成されている。
【００２４】
また本発明は、操作レバー４の先端のヘッド４ａの上面に、プレート部材５がヘッド４ａの縦軸Ｌを中心に回動可能に螺子６で取り付けられている。プレート部材５は、長板状に形成され、このプレート部材５の途中に幅方向に沿って横軸７が設けられている。
【００２５】
そして、本発明は、この横軸７を介してプレート部材５の先端部５ａの側が基端部５ｂに対して下向き傾斜状に屈曲可能に形成されている。横軸７は、両端にナット７ａが締め込まれている。そして、プレート部材５の先端部５ａの側は、ナット７ａが締め込まれることで降下が防止され、傾斜姿勢が保持されるよう形成されている。
【００２６】
而して、この実施形態の本発明は、図５、図６等に示されるように、ヘッド４ａの上面に、一方の冠歯車８ａが歯を上向きにして例えば止めネジ９で取り付けられている。またこの一方の冠歯車８ａに噛み合わされる他方の冠歯車８ｂが、プレート部材５の基端部５ｂの下面にネジ止めされている。
【００２７】
螺子６は、プレート部材５の基端部５ｂの上面側から上下一対の冠歯車８ａ、８ｂの軸心にネジ込まれ、プレート部材５は上下一対の冠歯車８ａ、８ｂを介してヘッド４ａの上面に取り付けられている。
なお、螺子６は、軸にコイルバネ１０が外装され、コイルバネ１０のバネ圧を利用してプレート部材５をヘッド４ａの上面にきつく締め付けることができるよう形成されている。
【００２８】
上記の駆動装置３としてのソレノイドは、プレート部材５の先端部５ａに設けられている。  そして、この駆動装置３としてのソレノイドの可動鉄芯３ａの下端に、マーカー２を取り付けるための取付部１１が連結されている。
【００２９】
またこの実施形態では、ソレノイドの可動鉄芯３ａと平行状に、プレート部材５の先端部５ａの下面から取付部１１にガイド棒１２が渡されている。このガイド棒１２は、ソレノイドの可動鉄芯３ａを挟んで対向状に一対設けられ、上端はプレート部材５の下面に固定され、下端は取付部１１に挿し込まれている。取付部１１は、このガイド棒１２によってぶれることなく安定した状態で進退動作する。
【００３０】
マーカー２は、インク容器を棒状の本体に備え、インクが浸透可能な樹脂やフェルト製の芯２ａが先端に設けられている市販のペン型筆記具が使用されている。またマーカー２は、高さを調節可能になるよう取付部１１に取り付けられている。
【００３１】
１３は、マーカー２を取付部１１に固定するための締め付けネジである。マーカー２は、この締め付けネジ１３を作業者が締め付けたり緩めることで高さの調節が可能になるものである。
【００３２】
更に本発明は、設定トルクが解放されると駆動装置３に駆動信号を出力する駆動源１４が操作レバー４に設けられている。駆動源１４は、カバー１４ａの付いた容器１４ｂに、例えば始動用スイッチ１４１、電源１４２としての電池、電池に代えてコンセントからの給電を可能にするための差し込みジャック１４３、制御回路部１４４、ソレノイドの駆動回路１４５等を備えて形成され、この実施形態では操作レバー４の上面に設けられている。駆動装置３としてのソレノイドと、駆動源１４とは、コード１５を介して電気的に接続されている。
【００３３】
次にこの実施形態の本発明品の使用例を、図１等に従って説明する。
【００３４】
先ず、作業者は、プレート部材５の先端部５ａの側を、横軸７を介して下方に屈曲させ、マーカー２の芯２ａが被締付部材１と対向するよう調節する。この作業は、横軸７を構成するネジ部材をドライバー等で締めたり緩めることで行う。
【００３５】
次に、作業者は、マーカー２の芯２ａが、マーカー２の押し下げ時に被締付部材１に当接するようマーカー２の高さを調節する。このマーカー２の高さ調節は、締め付けネジ１３を締めたり緩めることで行う。
【００３６】
本発明は、このようにプレート部材５の先端部５ａの側を任意の角度に傾斜できると共に、マーカー２の高さを調節することができる。従って、本発明によると、マーカー２の芯２ａを最適な位置に、簡単且つ迅速に配置でき、マーキング作業を楽にできるものである。
【００３７】
次に、作業者は、図１、図４に示されるように、被締付部材１としての六角穴付きボルトに、六角ネジ１６の下端を嵌合し、操作レバー４を把持して回し、被締付部材１としてのボルトを締め付ける。
【００３８】
而して、設定トルクに至ると、トルクが解放し、シャンク１７（図１等参照）が操作レバー４の基端側に動く。すると、シャンク１７の動きを受けて駆動源１４がオンになり、電源１４２から電流が流れて駆動装置３に出力信号が送られ、駆動装置３としてのソレノイドが駆動する。
【００３９】
その結果、ソレノイドの可動鉄芯３ａが下方に突き出され、取付部１１を押し下げる。これにより、取付部１１に取り付けられているマーカー２が、取付部１１と一緒に押し下げられ、被締付部材１としてのボルトの上面等の適宜位置に目印が施される。この場合、取付部１１はガイド棒１２によって安定した状態で進退動作する。
【００４０】
本発明は、このように駆動装置３がソレノイドで形成され、駆動源１４からの信号を受けて駆動し、マーカー２を押し下げる構造である。従って、本発明によると、機械的な仕組みでマーカー２を押し下げる従来品に比べ、低トルク（例えば２Ｎｍ）から、高トルク（例えば２００Ｎｍ）の広範囲にわたって精度良くマーキングを行うことができる。
【００４１】
而して、設定トルクが解放されると、操作レバー４の基端の取っ手内に収納されているコイルバネ（図示せず）の復元力でスラスタ１８（図１等参照）が押し戻され、トグル１９を介してシャンク１７が復帰する。そして、駆動装置３としてのソレノイドに内蔵されているコイルバネ（図示せず）の復元力により、可動鉄芯３ａが復元して上方に移動する。その結果、マーカー２が取付部１１と一緒に引き上げられ、マーカー２の芯２ａが、ボルトの上面等から引き離される。
【００４２】
次に、本発明品で壁等の障害物２０（図９等参照）の傍にある被締付部材１をマーキングする場合の使用例を説明する。
【００４３】
先ず、作業者は、螺子６を緩め、プレート部材５を、例えば上から見て９０度時計方向（図７参照）、或いは反時計方向（図１０参照）に回し、その後、螺子６を締め直す。
作業者が、螺子６を緩めると、一方の冠歯車８ａと他方の冠歯車８ｂとの噛み合い状態が解消し、プレート部材５の回転が可能になる。
【００４４】
そこで作業者は、プレート部材５を任意の角度だけ回し、その後、一方の冠歯車８ａと他方の冠歯車８ｂとを噛み合せ、螺子６を締め直す。これにより、プレート部材５は、ヘッド４ａの上面に、位置ずれすることなく、しっかりと確実に固定される。
【００４５】
次に、作業者は、上記のように、プレート部材５の先端部５ａの側を傾斜させ、マーカー２の高さを調節する。そして、操作レバー４を回して被締付部材１を締め付ける。
【００４６】
而して、設定トルクに至ると、駆動源１４からの出力信号で駆動装置３としてのソレノイドが駆動し、取付部１１と一緒にマーカー２が押し下げられ、被締付部材１に目印が施される。
本発明品は、これにより、壁等の障害物２０の際の被締付部材１に対しても、マーカー２や駆動装置３が障害物２０に当たって支障を来たすことなく、簡単且つ確実にマーキングできる。
【００４７】
以上の処において、本発明は、上下一対の冠歯車８ａ、８ｂに代え、例えばクッション質のシート材や板バネ等の弾性部材を利用して、プレート部材５をヘッド４ａの上面に確実に固定できるよう形成されているのでも良い。
【符号の説明】
【００４８】
１      被締付部材
２      マーカー
３      駆動装置
３ａ    可動鉄芯
４      操作レバー
４ａ    ヘッド
５      プレート部材
５ａ    先端部
６      螺子
１１    取付部
１４    駆動源
Ｌ      縦軸
【図１】
2015217460.tif 000003
【図２】
2015217460.tif 000004
【図３】
2015217460.tif 000005
【図４】
2015217460.tif 000006
【図５】
2015217460.tif 000007
【図６】
2015217460.tif 000008
【図７】
2015217460.tif 000009
【図８】
2015217460.tif 000010
【図９】
2015217460.tif 000011
【図１０】
2015217460.tif 000012
【図１１】
2015217460.tif 000013
【図１２】
2015217460.tif 000014